(57)【要約】【課題】機能設定の表示項目の選択を可能とするとともに、設定操作のセキュリティを強化した測定装置を実現する。【解決手段】測定装置に関し、特に、機能設定の安全性を改善した測定装置に関するものである。測定中に設定項目の設定変更が可能な第１の設定群と、測定中に設定項目の設定変更が不可能な第２の設定群と、第１及び第２の設定群の設定項目の表示状態を制御する表示制御手段と、第２の設定群の設定項目のセキュリティ状態を制御するセキュリティ制御手段とを設けた。【選択図】図１
2007171116.tif 000002
【特許請求の範囲】
【請求項１】
機能の設定項目を設定することで、設定内容に従って動作する測定装置において、
測定中に設定項目の設定変更が可能な第１の設定群と、
測定中に設定項目の設定変更が不可能な第２の設定群と、
該第２の設定群の設定項目のセキュリティ状態を制御するセキュリティ制御手段と、
前記第１及び第２の設定群の設定項目の表示状態を制御する表示制御手段と、
を有することを特徴とする測定装置。
【請求項２】
前記第２の設定群は、セキュリティ機能の使用不使用情報、ユーザ情報及び各設定項目のセキュリティの有効無効情報を設定するセキュリティ設定部と、前記第１の設定群の設定項目を表示器に表示するか表示しないかを設定する表示設定部とを有し、前記セキュリティ制御部は、前記セキュリティ設定部の設定情報をもとに設定項目のセキュリティ状態を制御し、前記表示制御手段は、前記表示設定部の設定情報をもとに設定項目の表示状態を制御することを特徴とする請求項１記載の測定装置。
【請求項３】
前記セキュリティ制御手段は、前記セキュリティ設定部のセキュリティ機能の使用不使用情報で使用設定された場合、前記セキュリティ設定部のセキュリティの有効無効情報の設定を機能するようにすることを特徴とする請求項２記載の測定装置。
【請求項４】
前記セキュリティ制御手段は、前記セキュリティ設定部のセキュリティ機能の使用不使用情報が使用設定された場合において、前記第２の設定群の設定項目を設定するセキュリティのレベルを第１又は第２のセキュリティレベルから選択可能で、第１のセキュリティレベルを選択時には、前記セキュリティ設定部のセキュリティの有効無効情報で無効設定された設定項目のみ設定可能とし、第２のセキュリティレベルを選択時には、前記セキュリティ設定部のユーザ情報との対比によるユーザ認証の後、前記セキュリティ設定部のセキュリティの有効無効情報で有効設定された設定項目についても設定可能とすることを特徴とする請求項２又は３記載の測定装置。
【請求項５】
前記ユーザ情報は、パスワードであることを特徴とする請求項２乃至４のいずれかに記載の測定装置。
【請求項６】
前記ユーザ情報は、ハードウェアキーであることを特徴とする請求項２乃至４のいずれかに記載の測定装置。
【請求項７】
前記表示制御手段は、前記セキュリティ設定部のセキュリティの有効無効情報で有効設定された設定項目は、無効設定された設定項目とは色を変えて表示することを特徴とする請求項２乃至６のいずれかに記載の測定装置。
【請求項８】
前記表示制御手段は、前記セキュリティ設定部のセキュリティの有効無効情報で有効設定された設定項目のみ表示することを特徴とする請求項２乃至７のいずれかに記載の測定装置。
【発明の詳細な説明】
【技術分野】
【０００１】
本発明は、測定装置に関し、特に、機能設定の安全性を改善した測定装置に関するものである。
【背景技術】
【０００２】
レコーダ等の測定装置においては、入力レンジ、アラーム等の機能設定を個別に行うことで、それぞれのユーザが測定装置を使い易い状態にして使用している。
【０００３】
図５は従来の測定装置における機能設定の操作手順を示す図である。
測定装置には、運転モードＭ１、セットモードＭ２、セットアップモードＭ３の３つの機能設定のモードがある。運転モードＭ１は、運転操作を行うモードである。セットモードＭ２は、入力レンジ、アラーム、記録紙送り速度等を設定するモードであり、測定中に設定を変更する場合がある。セットアップモードＭ３は、熱電対のバーンアウト検知機能、アラーム出力リレーの動作等、測定装置の基本仕様を設定するモードであり、一度設定すると測定中は設定を変更しない。
【０００４】
運転モードＭ１からセットモードＭ２に移動するには、「ＭＥＮＵ」キーを３秒押すことで実現する。ここで、「ＭＥＮＵ」キーのキーロック機能を有効にすることで、セットモードＭ２に入ることを防止することができる。
セットモードＭ２からセットアップモードＭ３に移動するには、「ＤＩＳＰ」キーと「ＦＵＮＣ」キーを同時に３秒押すことで実現する。
【０００５】
ユーザが必要とする表示画面だけをユーザが表示したい順序で表示する測定装置を示したものとして、例えば特許文献１に記載されたものがあった。
【０００６】
【特許文献１】特開２００５−６９７９７号公報
【発明の開示】
【発明が解決しようとする課題】
【０００７】
セットアップモードにある設定項目は、測定装置の基本仕様を設定するモードであるので、設定変更によって測定装置の根本的な動きに影響が生じてしまう。セットモードからセットアップモードへは、「ＤＩＳＰ」キーと「ＦＵＮＣ」キーを同時に３秒押すという操作が必要であるので、不用意な誤設定は防ぐことができるものの、このキー操作をすれば誰でも設定が可能となるため、セキュリティ上の問題があった。
【０００８】
レコーダ等の測定装置が、セットメーカを通じてエンドユーザに納入される場合、セットメーカにとっては、セットアップモードの全設定項目に対してエンドユーザが自由に変えられるのは不都合な場合がある。また、エンドユーザにおいても、実際の操作者と設定者は異なることもあり、操作者に対してセットアップモードの設定項目を制限したい場合もある。このような場合に設定されたくない項目を項目ごとに設定できないようにしたり、あらかじめ表示しないようにすることはできなかった。
【０００９】
また、キーロック機能を有効にすれば、「ＭＥＮＵ」キーがロックされ、セットモードに入ることができなくなるが、同時に、セットアップモードにも入ることができなくなる。これにより、ある程度はセキュリティ性を確保することができるが、一切の設定変更ができなくなり不便であった。
【００１０】
本発明は上述した問題点を解決するためになされたものであり、機能設定の表示項目の選択を可能とするとともに、設定操作のセキュリティを強化した測定装置を実現することを目的とする。
【課題を解決するための手段】
【００１１】
このような課題を達成するために、本発明は次のとおりの構成になっている。
（１）機能の設定項目を設定することで、設定内容に従って動作する測定装置において、
測定中に設定項目の設定変更が可能な第１の設定群と、
測定中に設定項目の設定変更が不可能な第２の設定群と、
該第２の設定群の設定項目のセキュリティ状態を制御するセキュリティ制御手段と、
前記第１及び第２の設定群の設定項目の表示状態を制御する表示制御手段と、
を有することを特徴とする測定装置。
【００１２】
（２）前記第２の設定群は、セキュリティ機能の使用不使用情報、ユーザ情報及び各設定項目のセキュリティの有効無効情報を設定するセキュリティ設定部と、前記第１の設定群の設定項目を表示器に表示するか表示しないかを設定する表示設定部とを有し、前記セキュリティ制御部は、前記セキュリティ設定部の設定情報をもとに設定項目のセキュリティ状態を制御し、前記表示制御手段は、前記表示設定部の設定情報をもとに設定項目の表示状態を制御することを特徴とする（１）記載の測定装置。
【００１３】
（３）前記セキュリティ制御手段は、前記セキュリティ設定部のセキュリティ機能の使用不使用情報で使用設定された場合、前記セキュリティ設定部のセキュリティの有効無効情報の設定を機能するようにすることを特徴とする（２）記載の測定装置。
【００１４】
（４）前記セキュリティ制御手段は、前記セキュリティ設定部のセキュリティ機能の使用不使用情報が使用設定された場合において、前記第２の設定群の設定項目を設定するセキュリティのレベルを第１又は第２のセキュリティレベルから選択可能で、第１のセキュリティレベルを選択時には、前記セキュリティ設定部のセキュリティの有効無効情報で無効設定された設定項目のみ設定可能とし、第２のセキュリティレベルを選択時には、前記セキュリティ設定部のユーザ情報との対比によるユーザ認証の後、前記セキュリティ設定部のセキュリティの有効無効情報で有効設定された設定項目についても設定可能とすることを特徴とする（２）又は（３）記載の測定装置。
【００１５】
（５）前記ユーザ情報は、パスワードであることを特徴とする（２）乃至（４）のいずれかに記載の測定装置。
【００１６】
（６）前記ユーザ情報は、ハードウェアキーであることを特徴とする（２）乃至（４）のいずれかに記載の測定装置。
【００１７】
（７）前記表示制御手段は、前記セキュリティ設定部のセキュリティの有効無効情報で有効設定された設定項目は、無効設定された設定項目とは色を変えて表示することを特徴とする（２）乃至（６）のいずれかに記載の測定装置。
【００１８】
（８）前記表示制御手段は、前記セキュリティ設定部のセキュリティの有効無効情報で有効設定された設定項目のみ表示することを特徴とする（２）乃至（７）のいずれかに記載の測定装置。
【発明の効果】
【００１９】
本発明によれば次のような効果がある。
機能設定の表示する項目を選択可能とし、設定項目を表示しないことにより不用意な設定変更を防ぐことができる。
また、機能設定の際に、操作者の認証を行うことにより、設定操作のセキュリティを強化することができる。
【発明を実施するための最良の形態】
【００２０】
以下、図面を用いて本発明を詳細に説明する。
図１は本発明の一実施例を示す構成図である。
測定装置１には、運転モードＭ１、セットモードＭ２、セットアップモードＭ３の３つの機能設定のモードがある。運転モードＭ１は、運転操作を行うモードである。セットモードＭ２は、入力レンジ、アラーム、記録紙送り速度等を設定するモードであり、測定中に設定を変更する場合がある。セットアップモードＭ３は、熱電対のバーンアウト検知機能、アラーム出力リレーの動作等、測定装置の基本仕様を設定するモードであり、一度設定すると測定中は設定を変更しない。
第１の設定群１０は、セットモードＭ２において設定される設定項目群であり、第２の設定群２０は、セットアップモードＭ３において設定される設定項目群である。測定装置１は、各設定項目を設定することで、設定内容に従って動作することができる。
【００２１】
第２の設定群２０には、第２の設定群２０の設定項目を設定操作する際にセキュリティ機能を使用するか使用しないかの情報２１ａと、設定操作を行うパスワード等のユーザ情報２１ｂと、第２の設定群２０の各設定項目のセキュリティを有効にするか無効にするかの情報２１ｃを設定するセキュリティ設定部２１がある。セキュリティ制御手段３０は、セキュリティ設定部２１の情報をもとに、第２の設定群２０の各設定項目のセキュリティ状態を制御する。
第２の設定群２０には、第１の設定群の設定項目を表示器に表示するか表示しないかを設定する表示設定部２２がある。表示制御手段４０は、表示設定部２２の情報をもとに、第１の設定群１０の各設定項目をどのように表示器に表示するかを制御する。
【００２２】
図２は本発明の測定装置における機能設定の操作手順を示す図である。
図１のセキュリティ設定部２１のセキュリティ機能の使用不使用情報２１ａが不使用に設定された場合、従来と同様の動作となり、セットモードＭ２からセットアップモードＭ３へは、「ＤＩＳＰ」キーと「ＦＵＮＣ」キーを同時に３秒押すことで移動し、セットアップモードＭ３の設定項目の全てを設定操作可能となる。
セットモードＭ２へ戻るには、「ＥＳＣ」キーを押す。
一方、セキュリティ設定部２１のセキュリティ機能の使用不使用情報２１ａが使用に設定された場合、セットモードＭ２からセットアップモードＭ３へ「ＤＩＳＰ」キーと「ＦＵＮＣ」キーを同時に３秒押すことで移動すると、選択メニュー（Ａ）が表示される。選択メニュー（Ａ）により、セットアップモードＭ３の設定操作を第１のセキュリティレベル（セキュリティなし）で行うか、第２のセキュリティレベル（セキュリティあり）で行うかの選択を行う。
【００２３】
選択メニュー（Ａ）でセキュリティなしを選択した場合、セキュリティ設定部２１のセキュリティ機能の有効無効情報２１ｃで無効設定された設定項目のみが表示され、設定を変更することができる（Ｂ）。
別の構成としては、セキュリティ設定部２１のセキュリティ機能の有効無効情報２１ｃで有効設定された設定項目は、色を変えて表示はされるが、無効設定された設定項目のみ設定を変更することができるようにしてもよい。
【００２４】
選択メニュー（Ａ）でセキュリティありを選択した場合、ユーザ情報の確認（Ｃ）に入り、ユーザ認証を行う。ユーザ情報としては、例えば、ソフトウェア的なパスワード等によるものや、ハードウェア的なキー等によるものがある。
セキュリティ設定部２１のユーザ情報２１ｂとの対比によりユーザ認証が失敗すると、エラーメッセージが表示され、何かキーを押すとユーザ情報の確認（Ｃ）に戻る。
ユーザ認証から抜けるには、「ＥＳＣ」キーを押す。
ユーザ認証に成功すると、セットアップモードＭ３の全設定項目が表示され、設定を変更することができる（Ｄ）。
【００２５】
このように、選択メニュー（Ａ）でセキュリティなしを選択した場合には、セットアップモードＭ３の設定項目のうち、設定できる項目を制限（Ｂ）することによりセキュリティを強化することができる。
また、選択メニュー（Ａ）でセキュリティありを選択した場合には、セットアップモードＭ３の設定できる項目を制限する代わりに、ユーザ情報の確認（Ｃ）をすることにより、セキュリティを強化することができる。この場合、ユーザ情報の確認は、設定項目に対して一括して行ってもよく、設定項目ごとに行ってもよい。
【００２６】
図３は本発明のセキュリティ制御の説明図である。
図１のセキュリティ設定部２１の設定前の状態と設定後の状態を示しており、設定は測定装置１の内部ＲＡＭに保存される。
図２の選択メニュー（Ａ）でセキュリティなしを選択した場合、セキュリティ設定部２１のセキュリティ機能の有効無効情報２１ｃで無効設定された設定項目（ＡＤ積分，演算機能）のみが表示され、有効設定された設定項目（測定周期）は表示されないので、不用意に設定内容が変更されることがなくなる。
【００２７】
図４は本発明の表示制御の説明図である。図４（ａ）は第１の設定群の表示設定状態を示す図であり、図４（ｂ）は図４（ａ）で設定状態を反映した表示例を示した図である。
図１の表示設定部２２の設定前の状態と設定後の状態を示しており、設定は測定装置１の内部ＲＡＭに保存される。
セットモードＭ２においては、表示設定部２２で表示設定された設定項目（アラーム）のみが表示されるので、非表示設定された設定項目（レンジ、単位、日付）については不用意に設定内容が変更されることがなくなる。また、この表示設定部２２は、セットアップモードＭ３の設定項目であるので、このセットモードＭ２の表示非表示の設定項目自体のセキュリティ性も確保することができる。
【００２８】
セキュリティ設定部２１のセキュリティ機能の有効無効情報２１ｃで有効設定された設定項目は、設定内容を印字する時には印字されないようにすれば、さらにセキュリティを強化することができる。
【００２９】
実施例においては、セットモード及びセットアップモードを対象に説明をしたが、ファンクション操作などの操作モード等についても同じようにセキュリティ強化することができる。また、通信コマンドに同じようにセキュリティ性を持たせれば、ユーザ認証なしには通信コマンドを実行することができなくなり、セキュリティ強化となる。
【図面の簡単な説明】
【００３０】
【図１】本発明の一実施例を示す構成図である。
【図２】本発明の測定装置における機能設定の操作手順を示す図である。
【図３】本発明のセキュリティ制御の説明図である。
【図４】本発明の表示制御の説明図である。
【図５】従来の測定装置における機能設定の操作手順を示す図である。
【符号の説明】
【００３１】
１  測定装置
１０  第１の設定群
２０  第２の設定群
３０  セキュリティ制御手段
３１  セキュリティ機能設定部
３２  ユーザ情報登録部
３３  セキュリティ設定部
４０  表示制御手段
【図１】
2007171116.tif 000003
【図２】
2007171116.tif 000004
【図３】
2007171116.tif 000005
【図４】
2007171116.tif 000006
【図５】
2007171116.tif 000007